(57)【要約】【課題】電磁誘導コイルの磁気力を２面方向に捉え電磁コイルに対面させた被加熱体を共に加熱させて、飽和蒸気を過熱蒸気に昇圧させることなく蒸気温度を昇温させる。【解決手段】電磁誘導コイルに電荷させ前記電磁誘導コイルに２面を対面させた被加熱体で前記コイルを両面より挟むように構成させ、対面もしくは囲い込む構造でもって被加熱体に磁力を反応させて被加熱体内を通蒸することによって飽和蒸気温度は上昇させるが蒸気圧力は昇圧させない誘導過熱蒸気発生器。【選択図】図１
2010210225.tif 000002
【特許請求の範囲】
【請求項１】
電磁誘導を用いた過熱蒸気発生装置において、電磁コイルを渦巻状に巻いたコイルを中央に挟んだ片面に蒸気挿入口を設けた被加熱体と、前記コイルの片面に蒸気出口を設けた被加熱体とで前記コイルを挟み、被加熱体と被加熱体とを連通させて、被加熱体内部に蒸気通路と蒸気を規制させる磁力反応物を詰めて蒸気を導く仕切りとで構成した過熱蒸気発生器。
【請求項２】
前記請求項１の被加熱体は平板二枚と四方を囲む側板とで囲んだ内部の空間に薄板を渦巻状に切り抜き、切り抜いた板を外周板、切り抜かれた板を内周板として複数枚重ねて平板二枚と結合させ、連通口と挿入口と出口とを設け前記被加熱体と被加熱体間に誘導コイルを挟み通水させ被加熱体を断熱材で包んだ請求項１の過熱蒸気発生器。
【請求項３】
過熱蒸気発生器において、円筒被加熱体の内部に磁気反応物を詰めて、その外周に誘導加熱コイルを巻き、さらにコイルの外周に２重構造の円筒と円筒の間に磁気反応物を詰めて、円筒両端をシールした外部被加熱体と内部被加熱体を連通させて蒸気入口と蒸気出口を持つ過熱蒸気発生器。
【発明の詳細な説明】
【技術分野】
【０００１】  本発明は電磁誘導を用いた過熱蒸気発生器で飽和蒸気を更に蒸気圧力を上昇させず蒸気温度のみ高温にさせる装置である。
【背景技術】
【０００２】  スーパー蒸気と呼ばれる過熱蒸気は、主として原子力発電所において、高温蒸気通気管管内や槽内等の内壁に積層付着する汚れや固着、滞留物等の除去手段として使用されている。
電磁誘導過熱蒸気は前記と違って、高温蒸気を作り出すが蒸気圧力は上昇しない特徴を持ち、飽和蒸気挿入のままの圧力で高温が得られ、低圧の為装置が安価である。【０００３】  従来圧力が上がらない理由で馬鹿蒸気と呼ばれ重要視されなかった過熱蒸気も近年利用の範囲が広がり、冷凍食品の殺菌や解凍のほか、加湿、炭化、溶解物の助熱等に利用されており、鯛の浜焼きに至っては魚体に焦げ目を作るなど多分野に渡って活用されている。
このＩＨを用いた過熱蒸気の発生は、主として円筒の被加熱体の外周にＩＨのコイルを巻き、円筒内に伝熱性の高い詰物を収容させ、詰物は球体、金網、パイプ等を収容して伝熱と通過蒸気の接触時間を長くしたものが主流である。【０００４】  過熱蒸気利用の用途が広がるに当たり、多量の高温蒸気を必要として伝熱性の向上を図る為、被加熱体内部の詰物の配置や収容物の形状、配列等の構造に関したものが多く考案されてきた考え方は、被加熱体の内部構造に重点を置いてきた。
これらの事例は被加熱体の外部に電磁誘導コイルを設置しコイルの片面は被加熱体に対面させ、片面は開放させて使われていた。【０００５】  円筒状被加熱体に巻かれたコイルは、磁力がコイルを中心に円筒内にのみ作用させるものでなくコイルの外周にも磁力を作用させる。その磁力の及ぼす範囲に更に被加熱体を置くと、コイルを中心に外筒にも内筒にも磁力は作用して加熱が起きる。内筒被加熱体と外筒被加熱体を２重構造として内部に通磁性の物を詰め、蒸気接触時間を多く取り、内筒の一端より通気させて外筒の一端より高温になった蒸気を取り出す事により効率が良い磁力全量活用の過熱蒸気発生器を開発した。
【特許文献１】特開平９−１７８１０３  三浦工業株式会社
【特許文献２】特開２００５−２３３５７２  三浦工業株式会社
【特許文献３】特開２００６−７１１１６  四変テック株式会社
【非特許文献１】電磁気学  中山正敏著  裳華房
【発明の開示】
【発明が解決しようとする課題】
【０００６】  解決しようとする問題点は、誘導コイルの電荷により磁力を受けて発熱する被加熱体の内部に収容した磁性体を比較的密に詰めると、通気ガス温度の上昇は良好になる反面、通過蒸気量の減少が起こる。また、被加熱体の直径を小径とすると誘導コイルの電気抵抗が増加し電流が減少する欠点があった。
【課題を解決するための手段】
【０００７】  本発明は過熱蒸気発生器の被加熱体を構成する中空パイプ外周に誘導コイルを巻いた場合、中空パイプ内周内壁を通蒸通気させ、パイプ中央部位は半閉塞状とし中空パイプ外周に巻いたコイルの外周に、更に２重構造内に通磁性の詰物を収容させた２重管でコイルを囲み、電磁誘導コイルの発する磁力を外筒にも内筒にも作用させて、内筒と外筒を連通させ蒸気の入口と出口を設ける。【０００８】  本発明は電磁誘導コイルを渦巻状に巻き、巻いたコイルを２個の被加熱体で上下又は左右より挟む。被加熱体は薄板を溝状に切り抜いたものを積層させて周囲を囲み、通気口と排気口を設け被加熱体の一端を連通させる。
２個の被加熱体で挟まれた前記コイルは挟まれた被加熱体に反応して被加熱体内壁を発熱させる。
【発明の効果】
【０００９】  本発明の電磁誘導過熱蒸気発生器は、被加熱体内部に磁気反応物を収容させた過熱蒸気発生器で、電磁誘導コイルを両側から挟んで前記コイルに荷電させると、コイルを挟んだ被加熱体は共に磁力に反応して被加熱体内部が赤熱し、通蒸蒸気が過熱蒸気に変わる効果がある。
【発明を実施するための最良の形態】
【００１０】  通磁性の良好な鋼材の被加熱体内に通磁性良好な詰物と蒸気通路と仕切り壁を設け、被加熱体２面を対面させて２面の被加熱体中央に電磁コイルを置き、蒸気入口と出口と２面の被加熱体とを連通させる。
【実施例１】
【００１１】  本発明の電磁誘導過熱蒸気発生器は電磁コイルを中央に置き磁力反応物を内部に収容させた被加熱体１を上部に、被加熱体２を下部に平行に設置し、中間に８．電磁誘導コイルを平面に渦巻状に巻き、１と２の被加熱体の中間に９．コイル保護詰物を詰め、前記電磁コイルを固定する。【００１２】  電磁コイル保護詰物は耐熱性を有するもので変形しない硬質のものが良い。
１と２の被加熱体に５．飽和蒸気入口と２の被加熱体に６．過熱蒸気出口を設けて、高温化させた蒸気は７．連通口を通り下部の過熱蒸気被加熱体２に入り、６．過熱蒸気出口より高温蒸気と化して用を成す。【００１３】  過熱蒸気被加熱体は上下平板２枚と内部詰物の通磁性良好な薄板で構成し、薄板は渦巻状に切り抜き、切り抜いた溝が通気溝となり、残った薄板の端面が通気壁を構成する。
その加工した薄板を積層させて上下に平板を重ね、積層薄板と一体化させる。【００１４】  一体化させた被加熱体は周囲を囲んで外部への蒸気漏れを防止する。また、一体化させた被加熱体の渦巻きの中央より蒸気挿入口と渦巻きの外周渦溝の終点に連通口を設け上下の被加熱体を結合させる。【００１５】  被加熱体である過熱蒸気発生器上下の２つの間にコイルを渦巻状に巻いて前記被加熱体で挟み、被加熱体とコイルに耐熱性の保護材を充填させて、前記コイルの一端より冷却水を挿入してもう一端より排水させる。【００１６】  電磁コイルに電荷させると磁気はコイルを中心に上下に磁気が作用して被加熱体コイル側平板内壁に影響し、内部に収容させた積層薄板を加熱させる。その作用により注入させた飽和蒸気は昇温して渦状切断の隙間を旋回しながら中央蒸気入口より外周に旋回する。【００１７】  磁力により昇温しながら外周の連通口に達した高温ガスは更に下部の被加熱体外周より旋回しながら被加熱体ブロックの中央に向かい中央出口より高温ガスとして放出される。【００１８】  前記被加熱体ブロックの厚みは、外側の平板も挟んだコイルの磁力の影響を受ける範囲の厚みが良く、それによりコイル一巻の上下の被加熱体に作用させる効果が大きくなる。
【実施例２】
【００１９】  図３、４の実施例は中空円筒の内部に通磁性良好な金属内筒に小径の穴を設けてラビリンス状に配置し、蒸気通路の隙間を僅少に保持して内筒内径と詰物外径との隙間を極小にして挿入する。【００２０】  飽和蒸気は５より流入し内筒内壁と詰物外径の隙間と詰物に設けた小径のラビリンス状の多数の穴を潜り抜けて連通管に到達し、連通管と２重構造の外筒を通って外筒の端に設けた過熱蒸気排出口６に至る。【００２１】  ２重構造外筒と詰物を入れた内筒を更に円筒の外に被せた１１．円筒型内筒とで構成し、２重外筒と内筒の間に電磁コイルを渦巻状に巻いて９．コイル保護詰物でコイルを保持する。【００２２】  円筒の外周に電磁コイルを巻き、更に円筒を被せたタイプも電磁コイルを平面に巻き上下に挟んだ被加熱体も共にコイルの周囲に作用する磁力を２面方向に利用し、電磁コイルに対面させた一面のみに与える電磁力を利用した従来の方法よりも効率が良い。
【図面の簡単な説明】
【００２３】
【図１】電磁誘導過熱蒸気発生器の実施方法を示した平板型の説明図である。（実施例１）
【図２】電磁誘導過熱蒸気発生器の実施方法を示した平板型の説明図である。（実施例１）
【図３】電磁誘導過熱蒸気発生器の実施方法を示した円筒型の説明図である。（実施例２）
【図４】電磁誘導過熱蒸気発生器の実施方法を示した円筒型の説明図である。（実施例２）
【符号の説明】
【００２４】１  過熱蒸気被加熱体上部
２  過熱蒸気被加熱体下部
３  蒸気通路
４  積層物
５  飽和蒸気入口
６  過熱蒸気出口
７  連通口
８  電磁誘導コイル
９  コイル保護詰物
１０  円筒型外筒
１１  円筒型内筒
１２  外筒充填材
１３  内筒充填材
【図１】
2010210225.tif 000003
【図２】
2010210225.tif 000004
【図３】
2010210225.tif 000005
【図４】
2010210225.tif 000006